(57)【要約】【課題】養生シートの敷設に際し、粘着テープやマグネット等の固定部材が不要で、且つ安定して容易に養生シートの立設保持が行える養生シート用連結具を提供すること。【解決手段】裏面側挟持片１３と表面側挟持片１４とが中間部の突き当て部１２ｂを介して断面略エ字状に一体に形成され、裏面側挟持片１４と表面側挟持片１３との間における両側部には、前記養生シートの縁部が挿入される挿入凹部１２、１２が形成され、裏面側挟持片１３の幅方向の長さが表面側挟持片１４の幅方向の長さよりも長くなるように形成されるとともに、表面側挟持片１４の両側縁から延出される裏面側挟持片１３の両側部には、上下方向に連続する突起よりなる支持補助部材１５、１５が設けられている上下方向に長尺の支持板１０を有する。【選択図】図１
2013185370.tif 000002
【特許請求の範囲】
【請求項１】
壁面を保護する養生シートの縁部を挟持して連結する養生シート用連結具において、
裏面側挟持片と表面側挟持片とが中間部の突き当て部を介して断面略エ字状に一体に形成され、前記裏面側挟持片と前記表面側挟持片との間における両側部には、前記養生シートの縁部が挿入される挿入凹部が形成され、  前記裏面側挟持片の幅方向の長さが前記表面側挟持片の幅方向の長さよりも長くなるように形成されるとともに、前記表面側挟持片の両側縁から延出される裏面側挟持片の両側部には、上下方向に連続する突起よりなる支持補助部材が設けられている上下方向に長尺の支持板を有することを特徴とする養生シート用連結具。
【請求項２】
前記壁面に沿って上下方向に設けられた前記支持板の重心位置における床面位置に配置され、前記支持板の下端部を支持する断面略台形状の収容部と、該収容部の裏面側に設けられ、前記支持板の起立状態を保持する起立板を備える断面略Ｌ字状の支持板保持部と、前記収容部における前面側に延出して設けられる、床面に当接して支持台の起立を保持する起立保持部とが一体成形された支持台を有することを特徴とする請求項１記載の養生シート用連結具。
【請求項３】
前記支持補助部材は、長尺円柱形状からなり、当該補助部材の直径は、前記挿入凹部における前記表面側挟持片と前記裏面側挟持片との間の距離の少なくとも略半分から同程度の長さを有することを特徴とする請求項１又は２記載の養生シート用連結具。
【請求項４】
前記挿入凹部の裏面側挟持片は、挿入される前記養生シートの前記突き当て部から開口部にかけて徐々に拡大して湾曲開口させた形状とすることを特徴とする請求項１又は２記載の養生シート用連結具。
【請求項５】
前記支持補助部材の直径を、前記挿入凹部の開口部の距離の略半分以上の長さにすることを特徴とする請求項４記載の養生シート用連結具。
【請求項６】
前記裏面側挟持片の裏面側上部端縁に保護部材を設けたことを特徴とする請求項１〜５の何れかに記載の養生シート用連結具。
【発明の詳細な説明】
【技術分野】
【０００１】
本発明は、建設現場や引越し作業等に壁面の損傷を防止するための壁面養生シートを連結支持する養生シート用連結具に関するものである。
【背景技術】
【０００２】
従来より、建設現場や引越し作業等においては、養生シートを仮設的に壁紙等の表面を覆うように敷設することで、壁面や天井面の壁紙等が、その後の作業によって損傷するのを防止している。また、養生シートの取り付け方法としては、一般的に、壁紙等を貼り付け施工した後、壁紙等の全体を養生シートで覆い、周囲を粘着テープで壁面等に直接貼着している。
【０００３】
このような、粘着テープによる貼着によって養生シート自体を傷付けることになるとともに、保護すべき壁面についても粘着テープによるテープ跡が残る虞があった。そのため、特に新築家屋への引越しでは、テープ跡が残らないように板材等を立て掛けて壁面養生を行っているのが実状である。
【０００４】
しかしながら、養生箇所が広範囲に亘って敷設するような現場では、それに応じて固着部材の使用量も増加するため、粘着シートによって養生シートと壁面とを貼着する作業が煩雑であり、また、作業終了後に養生シートの撤去に伴い除去した粘着シートが大量のゴミになるという問題があった。
【０００５】
そこで、上記のような養生方法の問題を解決するため、下記特許文献１に開示されるような粘着テープに貼着を必要とせずに養生シートの敷設が行える装置が知られている。
【先行技術文献】
【特許文献】
【０００６】
【特許文献１】特開２０００−２１３０８４号公報
【発明の概要】
【発明が解決しようとする課題】
【０００７】
しかしながら、特許文献１に開示される装置では、マグネットによって養生シートを固定しているが、マグネットと支持板とがペアとなって初めて機能するため、マグネットの紛失や破損等が起こると養生シートが固定できなくなる虞があった。
【０００８】
また、作業員によって着脱可能な程度の磁力吸引力を有するマグネットを使用して吸着固定しているので、現場作業中に作業員がマグネットとの接触によりマグネットが剥がれ落ちてしまうと、その都度、養生シートを再固定しなければならず面倒であった。
【０００９】
そこで、本発明は上記問題点に鑑みてなされたものであって、養生シートの敷設に際し、粘着テープやマグネット等の固定部材が不要で、且つ安定して容易に養生シートの立設保持が行える養生シート用連結具を提供することを目的としている。
【課題を解決するための手段】
【００１０】
上記目的を達成するため、本発明の請求項１に記載された養生シート用連結具は、壁面を保護する養生シート（１００）の縁部を挟持して連結する養生シート用連結具（１）において、
裏面側挟持片（１３）と表面側挟持片（１４）とが中間部の突き当て部（１２ｂ）を介して断面略エ字状に一体に形成され、前記裏面側挟持片と前記表面側挟持片との間における両側部には、前記養生シートの縁部が挿入される挿入凹部（１２、１２）が形成され、  前記裏面側挟持片の幅方向の長さが前記表面側挟持片の幅方向の長さよりも長くなるように形成されるとともに、前記表面側挟持片の両側縁から延出される裏面側挟持片の両側部には、上下方向に連続する突起よりなる支持補助部材（１５、１５）が設けられている上下方向に長尺の支持板（１０）を有することを特徴とする。
【００１１】
請求項２記載の養生シート用連結具は、請求項１記載の養生シート用連結具において、前記壁面に沿って上下方向に設けられた前記支持板（１０）の重心位置における床面位置に配置され、前記支持板の下端部を支持する断面略台形状の収容部（２１）と、該収容部の裏面側に設けられ、前記支持板の起立状態を保持する起立板（２２ａ）を備える断面略Ｌ字状の支持板保持部（２２）と、前記収容部における前面側に延出して設けられる、床面に当接して支持台（２０）の起立を保持する起立保持部（２３）とが一体成形された支持台（２０）を有することを特徴とする請求項１記載の養生シート用連結具。
【００１２】
請求項３記載の養生シート用連結具は、請求項１又は２記載の養生シート用連結具において、前記支持補助部材（１５）は、長尺円柱形状からなり、当該補助部材の直径は、前記挿入凹部（１２）における前記表面側挟持片（１４）と前記裏面側挟持片（１３）との間の距離の少なくとも略半分から同程度の長さを有することを特徴とする。
【００１３】
請求項４記載の養生シート用連結具は、請求項１又は２記載の養生シート用連結具において、前記挿入凹部（１２）の裏面側挟持片（１３）は、挿入される前記養生シート（１００）の前記突き当て部（１２ｂ）から開口部（１２ａ）にかけて徐々に拡大して湾曲開口させた形状とすることを特徴とする。
【００１４】
請求項５記載の養生シート用連結具は、請求項４記載の養生シート用連結具において、前記支持補助部材（１５）の直径を、前記挿入凹部（１２）の開口部（１２ａ）の距離の略半分以上の長さにすることを特徴とする。
【００１５】
請求項６記載の養生シート用連結具は、請求項１〜５の何れかに記載の養生シート用連結具において、前記裏面側挟持片（１３）の裏面側上部端縁に保護部材を設けたことを特徴とする。
【発明の効果】
【００１６】
本発明の養生シート用連結具によれば、養生シートを設置する際に、粘着テープやマグネット等の固定部材が不要となり、且つ安定して確実に養生シートの立設保持を行うことができる。
【図面の簡単な説明】
【００１７】
【図１】本発明に係る養生シート用連結具を示す概略斜視図である。
【図２】（ａ）同連結具の断面図である。  （ｂ）同連結具の他の形態の断面図である。
【図３】支持台の断面図である。
【発明を実施するための形態】
【００１８】
以下、本発明を実施するための形態について、添付した図面を参照しながら詳細に説明する。なお、この実施の形態によりこの発明が限定されるものではなく、この形態に基づいて当業者等によりなされる実施可能な他の形態、実施例及び運用技術等はすべて本発明の範疇に含まれる。
【００１９】
まず、図１〜図３を参照しながら、本例の養生シート用連結具について説明する。
図１に示すように、本例の養生シート用連結具１（以下、単に「連結具」ともいう）は、建築現場や引越し現場等において壁面Ｗを保護する養生シート１００（例えば、発泡ポリエチレンやポリプロピレン等のポリオレフィン系材料からなる弾性を持たせたシート状資材）を挟持しながら連結するための器具である。
【００２０】
図１〜図３に示すように、連結具は、中心部分を中空形状とした断面略エ字状の長尺板からなる養生シート１００を挟持する支持板１０と、連結具１の設置の際に挿し込まれた支持板１０と養生シート１００とを立設保持する支持台２０とで概略構成されている。
【００２１】
支持板１０は、図１又は図２に示すように、養生シート１００の着脱を容易にする若干の可撓性を有しつつシート立設時の姿勢保持を可能とする耐候性に優れた合成樹脂材料（例えば、硬質塩化ビニル）からなる長尺板であり、挿入された養生シート１００の縁部１０１を挟持する一対の取付基部１１を備えた形態で押出成形にて成形される。なお、支持板１０は、設置現場や使用される養生シート１００の大きさに応じて長さ方向の寸法が所定長さ（例えば、１ｍ〜１．５ｍ程度）となるように適宜調整して成形される。
【００２２】
取付基部１１は、図２（ａ）に示すように、養生シート１００が挿し込まれる挿入凹部１２を有している。支持板１０における挿入凹部１２の形成位置としては、挿入凹部１２の開口部１２ａが養生シート１００の挿入方向側（外側）に向けて開口し、且つ養生シート１００が挿入された際の突き当て部１２ｂが他方の取付基部１１の突き当て部１２ｂと背合わせとなるように一直線状に対称配置されている。また、取付基部１１は、立設した際に壁面Ｗと対峙する裏面側挟持片１３の幅長さが、対向する表面側挟持片１４の幅長さよりも所定長さ延出するように形成されている。さらに、表面側挟持片１４と裏面側挟持片１３との間の距離は、少なくとも使用される養生シート１００の厚みと略同等に設定されている。また、表面側挟持片１４の両先端部は、養生シート１００の装入を容易にするために、裏面側挟持片１３から離間する方向へ徐々に湾曲して形成されている。
【００２３】
さらに、取付基部１１の裏面側挟持片１３における養生シート１００との接触面の端縁１３ａには、取付基部１１による養生シート１００の挟持を補助するための上下方向に連続する突起よりなる支持補助部材１５が設けられている。支持補助部材１５は、例えば軟質塩化ビニルやゴム材等の弾性部材復元力を有する弾性部材で突起状に成形されており、挿入された養生シート１００による変形に伴って発生する復元力で当該シート１００を表面側挟持片１４側へ押し付けと、養生シート１００の滑り止めの役目を担っている。なお、支持補助部材１５は、その断面を中空状とすることもできる。
【００２４】
また、支持補助部材１５の形状を長尺円柱形状とすることで、養生シート１００の抜き挿し時には当該シート１００との接点が線接触となり、シート挿入後には当該シート１００との接触が面接触となり、養生シート１００の取り外しが容易となるとともに、立設時に確実に養生シート１００を挟持固定することができる。
【００２５】
また、支持補助部材１５の直径としては、図２（ａ）に示すように、挟持する養生シート１００の厚さ、挿入凹部１２の深さや各挟持片１３、１４間の距離、支持補助部材１５の硬度によって成形時に適宜設定されるが、挿入される養生シート１００を確実に保持するために、挿入凹部１２における表面側挟持片１４と裏面側挟持片１３との間の幅Ａを基準として当該部材の直径Ｂが少なくとも幅Ａの略半分から同程度の長さを有することが好ましい。なお、図中では、挿入凹部１２における表面側挟持片１４と裏面側挟持片１３との間の幅Ａの略半分の長さで形成された支持補助部材１５を設けた例である。
【００２６】
さらに、図２（ａ）に示すように、取付基部１１の裏面側挟持片１３の壁側面における上部端縁には、連結具１の設置に際し、支持板１０の接触による壁面Ｗの損傷等を防止するため、支持補助部材１５と同材質で形成された保護部材１６が設けられている。図中では、裏面側挟持片１３の壁側面における上部端縁に沿って１つ設けた例である。なお、保護部材１６は、支持板１０を設定した際に、少なくとも壁面Ｗの損傷が防止できればよいため、その設置数や設置位置は適宜変更可能である。
【００２７】
また、支持板１０の他の実施例としては、図２（ｂ）に示すように、取付基部１１における裏面側挟持片１３の形状を、挿入凹部１２の突き当たり面側から開口部１２ａにかけて徐々に拡大して湾曲開口させた形状とし、支持補助部材１５の直径を挿入凹部１２の開口部１２ａの距離Ｄの略半分以上の長さにする形態もある。この実施形態では、裏面側挟持片１３と表面側挟持片１４との間の最小距離Ｃを、使用される養生シート１００の厚みよりも小さく設定し、取付基部１１に養生シート１００を挿入した際に、裏面側挟持片１３の撓みによる復元力を利用して挟持を行うとともに、裏面側挟持片１３に設けられた支持補助部材１５の復元力で当該シート１００を表面側挟持片１４側へさらに押し付けることで確実な養生シート１００の挟持固定を実現している。なお、図中では、挿入凹部１２の開口部１２ａの距離Ｄと支持補助部材１５の直径Ｂとの比率が約２：１の関係で示した例である。
【００２８】
さらに、図２（ｂ）に示すように、取付基部１１の裏面側挟持片１３の壁面Ｗ側における上部端縁において壁面Ｗと接触する箇所には、連結具１の設置に際し、支持板１０の接触による壁面Ｗの損傷等を防止するため、支持補助部材１５と同材質で形成された保護部材１６が設けられている。なお、図中では、壁面Ｗとの接触箇所（２箇所）に保護部材１６を設けた例である。
【００２９】
図１又は図３に示すように、支持台２０は、当該台の重心位置に配置され所定重量の重りを収容する断面台形状の収容部２１と、収容部２１の裏面側に設けられ支持板１０の起立状態を保持するための断面略Ｌ字状の支持板保持部２２と、収容部２１の前面側（支持板保持部２２と対向する側）に延出して設けられ床面Ｆに当接して支持台２０の起立を保持する起立保持部２３と、が押出成形にて一体成形される。
【００３０】
また、収容部２１の裏面部２１ａと支持板保持部２２とで、支持板１０が挿し込まれる挿込凹部２４を構成している。この挿込凹部２４の奥行き方向の幅は、支持板１０と略同等の幅となるように形成しているため、挿し込まれる支持板１０を起立保持が可能で、且つ支持板１０の抜き挿しが可能となっている。
【００３１】
支持板保持部２２における起立板２２ａの高さは、支持板１０の立設を保持するために収容部２１の高さよりも高く（図例では２倍程度）に形成されているが、支持板１０を挿し込んだ際に起立保持可能な高さであればよい。また、支持板１０の立設保持を考慮して、起立板２２ａの上端が壁面Ｗ側に傾斜するように床面Ｆから起立板２２ａの裏面までの傾斜角θを略直角（８０°〜９０°）に形成している。さらに、支持板保持部２２と対峙する収容部２１の裏面部も、起立板２２ａの傾斜角θと同一角度となるように角度調整がなされている。
【００３２】
そして、上述した連結具１を使用現場で設置する場合は、まず、支持板１０の取付基部１１に養生シート１００を双方向から挿し込む。この際、挿入された養生シート１００の縁部は、取付基部１１の表面側挟持片１４と裏面側挟持片１３とによって挟持され、且つ支持補助部材１５の変形に伴う復元力によって当該シート１００を表面側挟持片１４側へ押し付けている。次に、養生シート１００が挿入された状態の支持板１０を、床面Ｆに設置した支持台２０の挿込凹部２４に挿し込むことで、養生シート１００の敷設が完了する。
【００３３】
また、使用現場での作業終了後は、支持板１０から養生シート１００を引き抜き、支持台２０から支持板１０を取り外すことで、養生シート１００の撤去作業が完了する。
【００３４】
以上説明したように、上述した養生シート用連結具１は、壁面Ｗと対峙する裏面側挟持片１３の幅長さが、対向する表面側挟持片１４の幅長さよりも所定長さ延出するように形成されるとともに、表面側挟持片１４と裏面側挟持片１３との間の距離が、少なくとも使用される養生シート１００の厚みと略同等に設定された一対の挿入凹部１２が、その開口部１２ａを養生シート１００挿入方向側に向けて開口し、且つ養生シート１００が挿入された際の突き当て部１２ｂが他方の取付基部１１の突き当て部１２ｂと背合わせとなるように一直線状に対称配置されている。
【００３５】
これにより、養生シート１００を設置する際に、粘着テープやマグネット等の固定部材が不要となり、且つ安定して確実に養生シート１００の立設保持を行うことができる。
【００３６】
また、取付基部１１の裏面側挟持片１３における養生シート１００との接触面の端縁には、挿入凹部１２における表面側挟持片１４と裏面側挟持片１３との間の幅Ａを基準としてその直径Ｂが少なくとも幅Ａの略半分から同程度の長さを有する支持補助部材１５が設けられているため、より確実に養生シート１００を挟持固定を実現することができる。
【００３７】
さらに、支持補助部材１５の形状が長尺円柱形状であるため、養生シート１００の抜き挿しの容易性を備えつつ、挿入後の養生シート１００の保持性を高めることができる。
【００３８】
また、挿入凹部１２の裏面側挟持片１３は、挿入される養生シート１００の突き当たり面側から開口部１２ａにかけて徐々に拡大して湾曲開口させた形状とし、且つ支持補助部材１５の直径を挿入凹部１２の開口部１２ａの距離Ｄの略半分以上の長さにすることで、取付基部１１に養生シート１００を挿入した際に、裏面側挟持片１３の撓みによる復元力と裏面側挟持片１３に設けられた支持補助部材１５の復元力とを利用して確実な養生シート１００の挟持固定を実現することができる。
【符号の説明】
【００３９】
１…養生シート用連結具
１０…支持板
１１…取付基部
１２…挿入凹部（１２ａ…開口部、１２ｂ…突き当て部）
１３…裏面側挟持片
１４…表面側挟持片
１５…支持補助部材
１６…保護部材
２０…支持台
２１…収容部（２１ａ…裏面部）
２２…支持板保持部（２２ａ…起立板）
２３…起立保持部
２４…挿込凹部
１００…養生シート
【図１】
2013185370.tif 000003
【図２】
2013185370.tif 000004
【図３】
2013185370.tif 000005